(57)【要約】【課題】薬の服用忘れを防止する補聴器及び医薬品服用督促通知システムを提供する。【解決手段】周囲の音を収集するマイクと、このマイクから入力された音声信号に対して補聴処理を行う補聴処理部と、この補聴処理部で補聴処理された音声信号を出力するレシーバと、現在時間をカウントするタイマと服用指示情報を記憶する記憶部と、前記マイクからの入力音を分析して食事が開始されたことを検出する食事開始検出部と、食事が終了したことを検出する食事終了検出部と、前記食事開始検出部の検出結果もしくは前記食事終了部の検出結果と、前記服用指示情報とから，服用メッセージを出力するか否かを判断する服用メッセージ出力判断部と、前記服用メッセージ出力判断部でメッセージを出力すると判断した場合に、前記レシーバから服用メッセージを出力するメッセージ出力部を有する構成とした。【選択図】図２
2014042699.tif 000002
【特許請求の範囲】
【請求項１】
周囲の音を収集するマイクと、
このマイクから入力された音声信号に対して補聴処理を行う補聴処理部と、
この補聴処理部で補聴処理された音声信号を出力するレシーバと、
現在時間をカウントするタイマと
服用指示情報を記憶する記憶部と、
前記マイクからの入力音を分析して食事が開始されたことを検出する食事開始検出部と、
食事が終了したことを検出する食事終了検出部と、
前記食事開始検出部の検出結果もしくは前記食事終了検出部の検出結果と、前記服用指示情報とから，服用メッセージを出力するか否かを判断する服用メッセージ出力判断部と、
前記服用メッセージ出力判断部でメッセージを出力すると判断した場合に、前記レシーバから服用メッセージを出力するメッセージ出力部を有する補聴器。
【請求項２】
前記服用指示情報には、食前服用、食後服用、食後からの服用時間のうち、少なくとも一つ以上が含まれる請求項１に記載の補聴器。
【請求項３】
前記服用指示情報には、患者の通常の生活パターンである、朝食、昼食、夕食における開始時間が含まれる請求項１に記載の補聴器。
【請求項４】
前記食事開始検出部は、検出された食事開始時間を記録集計して、前記服用指示情報の朝食、昼食、夕食における開始時間を更新する請求項３に記載の補聴器。
【請求項５】
前記食事開始検出部は、前記服用指示情報に含まれる朝食、昼食、夕食における開始時間の前後所定の時間内に咀嚼を検出した時に、食事開始として検出する請求項３に記載の補聴器。
【請求項６】
１回の服用に適した薬を区分け収納し、その区分けされた薬を服用毎に取り出すことができる薬剤ディスペンサであって、
前記薬剤ディスペンサの全体の動作を制御する制御部と、
この制御部に接続され前記薬剤ディスペンサから薬の取り出しが行われたことを検出する取り出し検出部と、
前記制御部に接続され患者の薬剤服用情報を保存する薬剤服用情報記憶部と、
前記取り出し検出部の検出結果や前記薬剤服用情報などを前記補聴器と通信する前記制御部に接続された薬剤ディスペンサ通信部とを有する薬剤ディスペンサと、
請求項１に記載の補聴器にはさらに、前記薬剤ディスペンサ通信部との通信を行う前記服用メッセージ出力判断部に接続された補聴器通信部とを有する医薬品服用督促通知システム。
【請求項７】
前記薬剤服用情報には、食前服用、食後服用、食後からの服用時間のうち、少なくとも一つ以上が含まれる請求項６に記載の医薬品服用督促通知システム。
【請求項８】
前記薬剤服用情報には、患者の通常の生活パターンである、朝食、昼食、夕食の開始時間が含まれる請求項６に記載の医薬品服用督促通知システム。
【請求項９】
前記薬剤服用情報には、薬の作用、副作用情報が含まれる請求項６に記載の医薬品服用督促通知システム。
【請求項１０】
前記服用メッセージ出力判断部は、前記食事開始検出部で食事が開始されたことを検出した場合に、前記補聴器通信部から、前記薬剤ディスペンサ通信部に通知する請求項６に記載の医薬品服用督促通知システム。
【請求項１１】
前記服用メッセージ出力判断部は、前記食事終了検出部で食事が終了したことを検出した場合に、前記補聴器通信部から、前記薬剤ディスペンサ通信部に通知する請求項６に記載の医薬品服用督促通知システム。
【請求項１２】
前記制御部は、前記補聴器通信部からの食事終了の通知を受けたあと前記取り出し検出部で薬が取り出されたことを検出した場合には、前記薬剤ディスペンサ通信部から前記補聴器通信部に通知する請求項６に記載の医薬品服用督促通知システム。
【請求項１３】
前記服用メッセージ出力判断部は、前記食事終了検出部で食事が終了したことを検出した後、前記薬剤ディスペンサ通信部からの薬の取り出し通知を受信した場合に、薬の作用に関するメッセージを前記レシーバから出力する請求項６に記載の医薬品服用督促通知システム。
【請求項１４】
前記服用メッセージ出力判断部は、前記食事終了検出部で食事が終了したことを検出した後、所定の時間経過後においても、前記薬剤ディスペンサ通信部からの薬の取り出し通知を受信しなかった場合に、薬の未摂取時の反作用に関するメッセージを前記レシーバから出力する請求項６に記載の医薬品服用督促通知システム。
【請求項１５】
前記服用メッセージ出力判断部は、前記服用指示情報が食前服用であって、前記食事開始検出部で食事開始が検出されたこと、および、所定の時間経過後、前記薬剤ディスペンサ通信部からの薬の取り出し通知を受信しなかった場合に、警告メッセージを前記レシーバから出力する請求項４に記載の医薬品服用督促通知システム。
【発明の詳細な説明】
【技術分野】
【０００１】
本発明は、補聴器と薬箱を連携させ、薬の服用時間の管理を行う技術に関するものである。
【背景技術】
【０００２】
薬局で処方された薬は、その薬の種類によって服用するタイミングが決められており、患者は、その指示通りに薬を服用品ければならないが、現実的には過半数の患者が処方箋の指示通りに服用していないことが問題視されている。そこで、患者に処方箋どおりに薬を服用してもらえるように、服用すべき時期を、モバイル端末を利用して患者に通知する医薬品服用督促通知方法が知られている（例えば、特許文献１参照）。
【先行技術文献】
【特許文献】
【０００３】
【特許文献１】特開２００３−０１６１８５号公報
【発明の概要】
【発明が解決しようとする課題】
【０００４】
従来の医薬品服用督促通知方法においては、患者の生活パターン（例えば食事時間など）の変動が少ない場合には有効であるが、例えば、患者の食事時間が変動した場合には対応できない。
【０００５】
そこで本発明は、患者の生活習慣である、食事時間の変動にも対応して、服用時間を知らせることが出来る補聴器を提供することを目的とするものである。
【課題を解決するための手段】
【０００６】
そして、この目的を達成するために、本発明は、周囲の音を収集するマイクと、このマイクから入力された音声信号に対して補聴処理を行う補聴処理部と、この補聴処理部で補聴処理された音声信号を出力するレシーバと、現在時間をカウントするタイマと、服用指示情報を記憶する記憶部と、前記マイクからの入力音を分析して食事が開始されたことを検出する食事開始検出部と、食事が終了したことを検出する食事終了検出部と、前記食事開始検出部の検出結果もしくは前記食事終了部の検出結果と、前記服用指示情報とから，服用メッセージを出力するか否かを判断する服用メッセージ出力判断部と、前記服用メッセージ出力判断部でメッセージを出力すると判断した場合に、前記レシーバから服用メッセージを出力するメッセージ出力部を有する構成とした。
【０００７】
さらに、１回の服用に適した薬を区分け収納し、その区分けされた薬を服用毎に取り出すことができる薬剤ディスペンサであって、前記薬剤ディスペンサの全体の動作を制御する制御部と、この制御部に接続され前記薬剤ディスペンサから薬の取り出しが行われたことを検出する取り出し検出部と、前記制御部に接続され患者の薬剤服用情報を保存する薬剤服用情報記憶部と、前記取り出し検出部の検出結果や前記薬剤服用情報などを前記補聴器と通信する前記制御部に接続された薬剤ディスペンサ通信部とを有する薬剤ディスペンサと、請求項１に記載の補聴器にはさらに、前記薬剤ディスペンサ通信部との通信を行う前記服用メッセージ出力判断部に接続された補聴器通信部とを有する構成とした。
【０００８】
これにより、所期の目的を達成するものである。
【発明の効果】
【０００９】
以上のように、本発明は、周囲の音を収集するマイクと、このマイクから入力された音声信号に対して補聴処理を行う補聴処理部と、この補聴処理部で補聴処理された音声信号を出力するレシーバと、現在時間をカウントするタイマと、服用指示情報を記憶する記憶部と、前記マイクからの入力音を分析して食事が開始されたことを検出する食事開始検出部と、食事が終了したことを検出する食事終了検出部と、前記食事開始検出部の検出結果もしくは前記食事終了部の検出結果と、前記服用指示情報とから，服用メッセージを出力するか否かを判断する服用メッセージ出力判断部と、前記服用メッセージ出力判断部でメッセージを出力すると判断した場合に、前記レシーバから服用メッセージを出力するメッセージ出力部を有する構成とした。
【００１０】
さらに、１回の服用に適した薬を区分け収納し、その区分けされた薬を服用毎に取り出すことができる薬剤ディスペンサであって、前記薬剤ディスペンサの全体の動作を制御する制御部と、この制御部に接続され前記薬剤ディスペンサから薬の取り出しが行われたことを検出する取り出し検出部と、前記制御部に接続され患者の薬剤服用情報を保存する薬剤服用情報記憶部と、前記取り出し検出部の検出結果や前記薬剤服用情報などを前記補聴器と通信する前記制御部に接続された薬剤ディスペンサ通信部とを有する薬剤ディスペンサと、請求項１に記載の補聴器にはさらに、前記薬剤ディスペンサ通信部との通信を行う前記服用メッセージ出力判断部に接続された補聴器通信部とを有する構成とした。
【００１１】
このように、本発明においては、薬を服用するタイミングを補聴器から通知でき、患者の生活習慣である、食事時間の変動にも対応して、服用時間を知らせることが出来るため、薬の服用忘れを防止することができるのである。
【図面の簡単な説明】
【００１２】
【図１】本発明の実施の形態１の使用状態を示す図
【図２】本発明の実施の形態１のブロック図
【図３】服用指示情報を示す図
【図４】本発明の実施の形態１のフローチャート
【図５】本発明の実施の形態２の使用状態を示す図
【図６】本発明の実施の形態２のブロック図
【図７】本発明の実施の形態１のフローチャート
【発明を実施するための形態】
【００１３】
以下に、本発明の補聴器及び医薬品服用督促通知システムの実施の形態を図面とともに詳細に説明する。
【００１４】
（実施の形態１）
図１は、使用者１が補聴器２を耳に装着した使用状態を示す図である。使用者１は、難聴者で有り、日常生活においては常に補聴器２を耳に装着して生活している。そして、使用者１には持病があり、日々薬を服用する必要がある。この薬の服用に関しては、食後の服用、もしくは、食前の服用など、薬の服用タイミングが決められているのだが、使用者１にとっては、忘れずにこれらタイミングで薬を服用することは、なかなか難しい。そこで、本実施形態１では、補聴器２によって、薬の服用タイミングを通知するための構成を以下に示す。
【００１５】
図２は、補聴器２のブロック図である。まずは、通常の補聴器の機能として、周囲の音を収集するマイクロフォン３と、このマイクロフォン３から出力されるアナログ音声データをデジタル音声データに変換するＡ／Ｄコンバータ４と、このＡ／Ｄコンバータ４でデジタル音声データに変換されたデータに対して、使用者１の聴力に応じて補聴処理を行う補聴処理部５と、この補聴処理部５で補聴処理されたデジタル音声データをアナログ音声データに変換するＤ／Ａコンバータ６と、このＤ／Ａコンバータ６で変換されたアナログ音声データを空気振動に変換するレシーバ７を備えている。
【００１６】
そして、本実施形態１の機能を実現するために、補聴処理部５に接続され、マイクロフォン３で入力された周囲音から、使用者１が飲食を行った際に発生する咀嚼音を検出する食事開始検出部８を備える。この食事開始検出部８によって咀嚼音が検出された場合（図４のＳ１）には、服用メッセージ出力部９に通知する。
【００１７】
服用メッセージ出力部９には記憶部１０が接続されており、記憶部１０には服用指示情報が記録されており、服用指示情報の具体的な情報とは、図３のごとく、朝食、昼食、夕食のそれぞれに対し、食事を取る時間、食前服用なのか食後服用なのか、また、食前服用であれば、食前のどのくらい前までに服用するのか、食後服用であれば、食後のどのくらい後までに服用するのかという服用時間となっている。
【００１８】
そして、服用メッセージ出力部９にはタイマ１１が接続されている。服用メッセージ出力部９は、食事開始検出部８からの食事開始通知を受信すると、タイマ１１による現在時間（図４のＳ２）と、記憶部１０に記録されている服用指示情報とを考慮して、服用メッセージを出力するか否かを判断する。
【００１９】
例えば、食事開始検出部８から食事開始通知を受けた時間が、７：３０分だったとすると、服用指示情報として記録されている食事時間の中から、最も近いものを抽出する。図３のような情報であれば、最も時間の近いものは朝食の７：００である。服用指示情報としては７：００となっているが、実際の食事時間は、そんなに正確なものではないため、例えば±１時間以内であれば、服用指示情報に記録されている食事時間であると判断する。
【００２０】
なお、食事開始検出部８で検出された食事開始時間を記録集計して、服用指示情報の朝食、昼食、夕食における開始時間を更新するようにしてもよい。
【００２１】
また、服用指示情報としては、朝食は食前服用となっているので（図４のＳ３）、例えば「薬の服用はお済みですか？」などの服用推奨メッセージをレシーバ７から出力する（図４のＳ４）。
【００２２】
もう一つの例で、食事開始検出部８から食事開始通知を受けた時間が、１１：３０分だったとすると、服用指示情報として記録されている食事時間の中から、最も近いものを抽出する。図３のような情報であれば、最も時間の近いものは昼食の１２：００である。服用指示情報としては１２：００となっているが、実際の食事時間は、そんなに正確なものではないため、例えば±１時間以内であれば、服用指示情報に記録されている食事時間であると判断する。
【００２３】
また、服用指示情報としては、昼食は食後服用となっているので（図４のＳ３）、食事が終了するまで待機状態となる（図４のＳ５）。この食事終了の検出には、補聴処理部５および服用メッセージ出力部９に接続された食事終了検出部１２においてなされる。食事終了検出部１２は、食事開始検出部８から服用メッセージ出力部９に食事開始の通知を行っている状態において、咀嚼音が所定の時間検出されなくなった場合に食事終了とみなし、服用メッセージ出力部９に通知する。
【００２４】
服用メッセージ出力部９は、食事終了検出部１２からの通知を受け取った後、服用指示情報として記録されている服用時間情報である３０分経過した後（図４のＳ６）、例えば「薬の服用はお済みですか？」などの服用推奨メッセージをレシーバ７から出力する（図４のＳ７）
以上のような構成において、薬の服用タイミングを補聴器２から使用者１に通知することで、薬の服用忘れを防ぎ、また、ある程度の食事時間のずれに対しても対応することができる。
【００２５】
（実施の形態２）
次に、補聴器と薬剤ディスペンサを連携させた医薬品服用督促通知システムについて説明する。なお、実施形態１と同じ構成要素には、同じ符号を付している。
【００２６】
図５は、使用者１が補聴器１３を耳に装着しており、薬剤ディスペンサ１４を併用している。薬剤ディスペンサ１４とは、薬を保管するための収納箱であり、一回に服用する薬ごとに、薬取り出し口１５から薬を取り出すことができるものである。この薬剤ディスペンサに関しては、一般的に広く知られているものであり、その基本機能の説明は割愛し、本実施形態２の特徴部分のみ説明を行う。
【００２７】
図６は、補聴器１３と薬剤ディスペンサ１４を連携させた医薬品服用督促通知システムのブロック図である。
【００２８】
補聴器１３の構成としては、実施形態１の補聴器２の構成と異なるところは、薬剤ディスペンサ１４と通信を行うための通信部１６を設けた点である。
【００２９】
薬剤ディスペンサ１４は、薬剤ディスペンサ１４の全体の動きを制御する制御部１７と、補聴器１３と通信を行うための薬剤ディスペンサ通信部１８と、薬取り出し口１５から薬が取り出されたことを検出する取り出し検出部１９と、薬剤服用情報を記憶している薬剤服用情報記憶部２０を備えている。
【００３０】
次に、全体の処理の流れを説明する。
【００３１】
補聴処理部５に接続され、マイクロフォン３で入力された周囲音から、使用者１が飲食を行った際に発生する咀嚼音を検出する食事開始検出部８によって咀嚼音が検出された場合（図７のＳ１）には、服用メッセージ出力部９に通知する。
【００３２】
服用メッセージ出力部９には記憶部１０が接続されており、記憶部１０には服用指示情報が記録されており、服用指示情報の具体的な情報とは、図３のごとく、朝食、昼食、夕食のそれぞれに対し、食事を取る時間、食前服用なのか食後服用なのか、また、食前服用であれば、食前のどのくらい前までに服用するのか、食後服用であれば、食後のどのくらい後までに服用するのかという服用時間となっている。
【００３３】
そして、服用メッセージ出力部９にはタイマ１１が接続されている。服用メッセージ出力部９は、食事開始検出部８からの食事開始通知を受信すると、タイマ１１による現在時間（図７のＳ２）と、記憶部１０に記録されている服用指示情報とを考慮して、服用メッセージを出力するか否かを判断する。
【００３４】
例えば、食事開始検出部８から食事開始通知を受けた時間が、７：３０分だったとすると、服用指示情報として記録されている食事時間の中から、最も近いものを抽出する。図３のような情報であれば、最も時間の近いものは朝食の７：００である。服用指示情報としては７：００となっているが、実際の食事時間は、そんなに正確なものではないため、例えば±１時間以内であれば、服用指示情報に記録されている食事時間であると判断する。
【００３５】
また、服用指示情報としては、朝食は食前服用となっているので（図７のＳ３）、例えば「薬の服用はお済みですか？」などの服用推奨メッセージをレシーバ７から出力し（図７のＳ４）、通信部１６を介して薬剤ディスペンサ１４に薬排出要求を通知する（図７のＳ５）。
【００３６】
薬剤ディスペンサ１４は、薬剤ディスペンサ通信部１８を介して上述の通知を受け取ると（図７のＳ６）、制御部１７は薬剤ディスペンサ１４から、一回分の薬を薬取り出し口１５に排出する（図７のＳ７）。
【００３７】
取り出し検出部１９は、薬取り出し口１５からが薬を取り出したか否かを検出し（図７のＳ８）、使用者１によって薬が取り出されたことを検出した際には、薬剤ディスペンサ通信部１８を介して、補聴器１３に通知する（図７のＳ９）。
【００３８】
補聴器１３は、薬排出要求(図７のＳ５)の後、薬剤ディスペンサ１４からの薬取り出し通知を待つ（図７のＳ１０）。
【００３９】
ここで、通信部１６を経由して上記薬剤ディスペンサ１４からの薬取り出し通知を受け取った場合には、使用者１が薬を服用したとみなし、この薬を服用することによる効果などのメッセージをレシーバ７から出力する（図７のＳ１２）。
【００４０】
もし、所定の時間内に、上記薬剤ディスペンサ１４からの薬取り出し通知を受け取らなかった場合には、薬を服用しなかったとみなし、この薬を服用しなかった場合に想定される、各種症状をレシーバ７から出力する（図７のＳ１３）。
【００４１】
なお、これら薬の服用・未服用におけるメッセージは、補聴器１３の記憶部１０に保存されているものとするが、それとは別に薬剤ディスペンサ１４の薬剤服用情報記憶部２０に保存しておき、通信により補聴器１３に送るようにしてもよい。
【００４２】
もう一つの例で、食事開始検出部８から食事開始通知を受けた時間が、１１：３０分だったとすると、服用指示情報として記録されている食事時間の中から、最も近いものを抽出する。図３のような情報であれば、最も時間の近いものは昼食の１２：００である。服用指示情報としては１２：００となっているが、実際の食事時間は、そんなに正確なものではないため、例えば±１時間以内であれば、服用指示情報に記録されている食事時間であると判断する。
【００４３】
また、服用指示情報としては、昼食は食後服用となっているので（図７のＳ３）、食事が終了するまで待機状態となる（図７のＳ１４）。この食事終了の検出には、補聴処理部５および服用メッセージ出力部９に接続された食事終了検出部１２においてなされる。食事終了検出部１２は、食事開始検出部８から服用メッセージ出力部９に食事開始の通知を行っている状態において、咀嚼音が所定の時間検出されなくなった場合に食事終了とみなし、服用メッセージ出力部９に通知する。
【００４４】
服用メッセージ出力部９は、食事終了検出部１２からの通知を受け取った後、服用指示情報として記録されている服用時間情報である３０分経過した後（図４のＳ１５）、例えば「薬の服用してください」などの服用推奨メッセージをレシーバ７から出力し（図７のＳ１６）、通信部１６を介して薬剤ディスペンサ１４に薬排出要求を通知する（図７のＳ１７）。
【００４５】
薬剤ディスペンサ１４は、薬剤ディスペンサ通信部１８を介して上述の通知を受け取ると（図７のＳ６）、制御部１７は薬剤ディスペンサ１４から、一回分の薬を薬取り出し口１５に排出する（図７のＳ７）。
【００４６】
取り出し検出部１９は、薬取り出し口１５からが薬を取り出したか否かを検出し（図７のＳ８）、使用者１によって薬が取り出されたことを検出した際には、薬剤ディスペンサ通信部１８を介して、補聴器１３に通知する（図７のＳ９）。
【００４７】
補聴器１３は、薬排出要求(図７のＳ１７)の後、薬剤ディスペンサ１４からの薬取り出し通知を待つ（図７のＳ１０）。
【００４８】
ここで、通信部１６を経由して上記薬剤ディスペンサ１４からの薬取り出し通知を受け取った場合には、使用者１が薬を服用したとみなし、この薬を服用することによる効果などのメッセージをレシーバ７から出力する（図７のＳ１２）。
【００４９】
もし、所定の時間内に、上記薬剤ディスペンサ１４からの薬取り出し通知を受け取らなかった場合には、薬を服用しなかったとみなし、この薬を服用しなかった場合に想定される、各種症状をレシーバ７から出力する（図７のＳ１３）。
【００５０】
以上のように、本実施形態２においては、使用者１への薬の服用指示および、実際に使用者１が薬を服用したかどうかまで確認することができる。
【００５１】
なお、実施形態２において、補聴器１３の記憶部１０に記録されている服用指示情報は、薬剤ディスペンサ１４の薬剤服用情報記憶部２０に保存し、通信にて補聴器１３に情報を伝えるようにしてもよい。
【００５２】
また、使用者１による薬の服用履歴をログデータとして保存することで、医師による診断にも役立てることができる。
【産業上の利用可能性】
【００５３】
以上のように本発明は、薬を服用するタイミングを補聴器から通知でき、患者の生活習慣である、食事時間の変動にも対応して、服用時間を知らせることが出来るため、薬の服用忘れを防止することができるため、広く活用が期待されるものとなる。
【符号の説明】
【００５４】
１  使用者
２  補聴器
３  マイクロフォン
４  Ａ／Ｄコンバータ
５  補聴処理部
６  Ｄ／Ａコンバータ
７  レシーバ
８  食事開始検出部
９  服用メッセージ出力部
１０  記憶部
１１  タイマ
１２  食事終了検出部
１３  補聴器
１４  薬剤ディスペンサ
１５  薬取り出し口
１６  通信部
１７  制御部
１８  薬剤ディスペンサ通信部
１９  取り出し検出部
２０  薬剤服用情報記憶部
【図１】
2014042699.tif 000003
【図２】
2014042699.tif 000004
【図３】
2014042699.tif 000005
【図４】
2014042699.tif 000006
【図５】
2014042699.tif 000007
【図６】
2014042699.tif 000008
【図７】
2014042699.tif 000009